(57)【特許請求の範囲】
【請求項１】
表示面を有する表示部と、前記表示面側に積層配置され、接触物の接触位置及び接触領域を検出可能な接触検出部とを有する表示入力部と、
レイアウト情報に基づいて、複数のソフトキーを前記表示面の中央部及び外縁部に表示させる表示制御部と、
前記接触検出部により検出された接触位置が前記ソフトキーに対応している場合に、前記接触検出部により検出された接触領域に基づいて、接触領域の面積を算出する算出部と、
前記中央部のソフトキーに対応する位置が接触された場合の接触領域の面積と、前記外縁部のソフトキーに対応する位置が接触された場合の接触領域の面積とを比較し、前記外縁部のソフトキーに対応する位置が接触された場合の接触領域の面積が小さい場合、当該外縁部のソフトキーの前記表示面における表示位置を、前記中央部に近づくように前記レイアウト情報を変更するレイアウト変更部と、
を備える表示入力装置。
【請求項２】
前記レイアウト変更部は、前記中央部のソフトキーに対応する位置が接触された場合の接触領域の面積に比べて、前記外縁部のソフトキーに対応する位置が接触された場合の接触領域の面積が小さい場合、前記レイアウト情報において、当該外縁部に対応するソフトキーの前記表示面における表示領域を拡大する、
請求項１に記載の表示入力装置。
【請求項３】
前記レイアウト変更部は、前記中央部のソフトキーに対応する位置が接触された場合の接触領域の面積に比べて、前記外縁部のソフトキーに対応する位置が接触された場合の接触領域の面積が小さい場合、前記表示面における、当該外縁部のソフトキーの表示位置と、当該外縁部に対応し当該ソフトキーから所定範囲内のソフトキーの表示位置とを、前記中央部に近づくように前記レイアウト情報を変更する、
請求項１又は２に記載の表示入力装置。
【請求項４】
指紋を読み取り、指紋情報を生成する指紋読取部と、
ユーザの識別情報と、指紋情報とを関連付けて記憶する記憶部と、を備え、
前記記憶部から、前記指紋読取部に生成された指紋情報と一致する指紋情報を特定し、特定された指紋情報に関連付けられているユーザの前記表示入力装置の使用を許可する認証部と、
前記レイアウト変更部は、前記指紋読取部により生成された指紋情報に基づいて指紋の面積を算出し、算出された指紋の面積と、前記外縁部のソフトキーに対応する位置が接触された場合の接触領域の面積とを比較し、前記外縁部のソフトキーに対応する位置が接触された場合の接触領域の面積が小さい場合、当該外縁部のソフトキーの前記表示面における表示位置を、前記中央部に近づくように前記レイアウト情報を変更する、
請求項１から３のいずれか１項に記載の表示入力装置。
【請求項５】
ユーザの識別情報と、指紋と、レイアウト情報を関連付けて記憶する記憶部と、
指紋を読み取る指紋読取部と、
前記指紋読取部により指紋が読み取られたことに応じて、前記記憶部から、前記指紋読取部により生成された指紋情報に一致する指紋情報を特定し、特定された指紋情報に関連付けられているユーザの前記表示入力装置の使用を許可する認証部と、を備え、
前記レイアウト変更部は、前記指紋読取部により生成された指紋情報に基づいて指紋の面積を算出し、算出された指紋の面積と、前記外縁部のソフトキーに対応する位置が接触された場合の接触領域の面積とを比較し、前記外縁部のソフトキーに対応する位置が接触された場合の接触領域の面積が小さい場合、当該外縁部のソフトキーの前記表示面における表示位置を、前記中央部に近づくように、前記ユーザに関連付けられているレイアウト情報を変更する、
請求項１から３のいずれか１項に記載の表示入力装置。
【発明の詳細な説明】
【技術分野】
【０００１】
本発明は、表示入力装置に関する。
【背景技術】
【０００２】
近年、複写機、プリンター、ファクシミリ等において、操作部にタッチパネルを用いた機種が増えている。タッチパネルは、表示装置の上に設けられた透明な位置検出装置である。ユーザは、表示装置の画面上に表示されたボタンをタッチパネル越しに押すことにより、そのボタンに対応する操作を機器に指示することができる。
【０００３】
タッチパネルを有する表示装置においては、操作性を向上させるため、ユーザの指の大きさを検出し、当該検出された指の大きさに基づいて、タッチパネル上に表示されているボタンを調整して表示する技術が知られている（特許文献１参照）。
【先行技術文献】
【特許文献】
【０００４】
【特許文献１】特開平０５−０４６３０８号公報
【発明の概要】
【発明が解決しようとする課題】
【０００５】
しかしながら、特許文献１に記載されている技術では、ボタンが必要以上に拡大されることによって、タッチパネル上に表示可能なボタンの個数が少なくなる可能性があるため、キー構成を変更する必要が生じてしまう。結果的に、特許文献１に記載されている技術を用いた場合、ユーザにとって使用しにくくなってしまう可能性がある。
【０００６】
また、一般的に、タッチパネルの周囲は、枠部材が取り付けられており、タッチパネルの中央部と、外縁部とでは、表示されているボタンの押しやすさが異なる。よって、特許文献１に記載されている技術は、タッチパネルの中央部と、外縁部とのそれぞれで検出された指の大きさが異なることによって、頻繁にボタンの大きさが調整されてしまい、使い勝手が悪化するおそれがある。
【０００７】
本発明は、ユーザの操作性を向上することができる表示入力装置を提供することを目的とする。
【課題を解決するための手段】
【０００８】
本発明は、表示面を有する表示部と、前記表示面側に積層配置され、接触物の接触位置及び接触領域を検出可能な接触検出部とを有する表示入力部と、レイアウト情報に基づいて、複数のソフトキーを前記表示面の中央部及び外縁部に表示させる表示制御部と、前記接触検出部により検出された接触位置が前記ソフトキーに対応している場合に、前記接触検出部により検出された接触領域に基づいて、接触領域の面積を算出する算出部と、前記中央部のソフトキーに対応する位置が接触された場合の接触領域の面積と、前記外縁部のソフトキーに対応する位置が接触された場合の接触領域の面積とを比較し、前記外縁部のソフトキーに対応する位置が接触された場合の接触領域の面積が小さい場合、当該外縁部のソフトキーの前記表示面における表示位置を、前記中央部に近づくように前記レイアウト情報を変更するレイアウト変更部と、を備える表示入力装置に関する。
【０００９】
また、表示入力装置では、前記レイアウト変更部は、前記中央部のソフトキーに対応する位置が接触された場合の接触領域の面積に比べて、前記外縁部のソフトキーに対応する位置が接触された場合の接触領域の面積が小さい場合、前記レイアウト情報において、当該外縁部に対応するソフトキーの前記表示面における表示領域を拡大することが好ましい。
【００１０】
また、表示入力装置では、前記レイアウト変更部は、前記中央部のソフトキーに対応する位置が接触された場合の接触領域の面積に比べて、前記外縁部のソフトキーに対応する位置が接触された場合の接触領域の面積が小さい場合、前記表示面における、当該外縁部のソフトキーの表示位置と、当該外縁部に対応し当該ソフトキーから所定範囲内のソフトキーの表示位置とを、前記中央部に近づくように前記レイアウト情報を変更することが好ましい。
【００１１】
また、表示入力装置は、指紋を読み取り、指紋情報を生成する指紋読取部と、ユーザの識別情報と、指紋情報とを関連付けて記憶する記憶部と、を備え、前記記憶部から、前記指紋読取部に生成された指紋情報と一致する指紋情報を特定し、特定された指紋情報に関連付けられているユーザの前記表示入力装置の使用を許可する認証部と、前記レイアウト変更部は、前記指紋読取部により生成された指紋情報に基づいて指紋の面積を算出し、算出された指紋の面積と、前記外縁部のソフトキーに対応する位置が接触された場合の接触領域の面積とを比較し、前記外縁部のソフトキーに対応する位置が接触された場合の接触領域の面積が小さい場合、当該外縁部のソフトキーの前記表示面における表示位置を、前記中央部に近づくように前記レイアウト情報を変更することが好ましい。
【００１２】
また、表示入力装置は、ユーザの識別情報と、指紋と、レイアウト情報を関連付けて記憶する記憶部と、指紋を読み取る指紋読取部と、前記指紋読取部により指紋が読み取られたことに応じて、前記記憶部から、前記指紋読取部により生成された指紋情報に一致する指紋情報を特定し、特定された指紋情報に関連付けられているユーザの前記表示入力装置の使用を許可する認証部と、を備え、前記レイアウト変更部は、前記指紋読取部により生成された指紋情報に基づいて指紋の面積を算出し、算出された指紋の面積と、前記外縁部のソフトキーに対応する位置が接触された場合の接触領域の面積とを比較し、前記外縁部のソフトキーに対応する位置が接触された場合の接触領域の面積が小さい場合、当該外縁部のソフトキーの前記表示面における表示位置を、前記中央部に近づくように、前記ユーザに関連付けられているレイアウト情報を変更することが好ましい。
【発明の効果】
【００１３】
本発明によれば、ユーザの操作性を向上することができる表示入力装置を提供することができる。
【図面の簡単な説明】
【００１４】
【図１】画像形成装置の一実施形態に係るコピー機の全体構成を説明するための図である。
【図２】コピー機の機能構成を示すブロック図である。
【図３】表示面にソフトキーが配置されている例を示す図である。
【図４】表示面のソフトキーの位置が変更された後の例を示す図である。
【図５】コピー機の動作について説明するためのフローチャートである。
【発明を実施するための形態】
【００１５】
以下、図面を参照して、本発明の画像形成装置の一実施形態に係るコピー機について説明する。まず、コピー機１の全体構成について説明する。図１は、画像形成装置の一実施形態に係るコピー機１の全体構成を説明するための図である。
【００１６】
図１に示すように、本実施形態のコピー機１は、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇをコピー機本体２の外部に排出する。
原稿排出部１５におけるコピー機本体２の外側には、原稿集積部１６が形成される。原稿集積部１６には、原稿排出部１５から排出された原稿Ｇが積層して集積される。
【００１７】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１８】
また、原稿読取部２０は、照明部２３と、第１ミラー２４と、第２ミラー２５と、第３ミラー２６と、結像レンズ２７と、撮像部２８とをコピー機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１９】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００２０】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被転写材）を転写部５０に供給する。第３送りローラー３２は、手差しトレイ３７に載置される用紙Ｔ（被転写材）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔをコピー機本体２の外部に排出する。
用紙排出部３４におけるコピー機本体２の外側には、排紙集積部３５が形成される。排紙集積部３５には、用紙排出部３４から排出された用紙Ｔが積層して集積される。
【００２１】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２２】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２３】
転写部５０は、２次転写ローラー５１を備える。２次転写ローラー５１は、中間転写ベルト４８に関して対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２４】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２５】
次に、コピー機１の機能構成について説明する。図２は、コピー機１の機能構成を示すブロック図である。
コピー機１は、上述した構成要素（原稿搬送部１０、原稿読取部２０、用紙搬送部３０、画像形成部４０、転写部５０及び定着部６０）を備える。用紙搬送部３０、画像形成部４０、転写部５０及び定着部６０によりエンジン部３が構成される。なお、図１を用いて説明した構成要素については、その説明を省略する。
さらに、コピー機１は、上述した機能構成に加えて、操作部７０と、指紋読取部７５と、記憶部８０と、制御部９０とを備える。
【００２６】
操作部７０は、テンキー（図示せず）、表示入力部としてのタッチパネル７１及びスタートキー（図示せず）等を備える。テンキーは、印刷部数等の数字を入力するために操作される。
タッチパネル７１は、表示面を有する表示部７２と、接触検出部７３とから構成される。
接触検出部７３は、表示部７２の表示面側に積層配置され、接触物の接触位置及び接触領域を検出する。タッチパネル７１は、種々の機能（一例として、印刷倍率の設定機能や、複数のページを１枚の用紙Ｔに割り付ける機能（２ｉｎ１等））が割り当てられた複数のソフトキー等を操作画面として表示面に表示する（図３参照）。タッチパネルに表示されたソフトキーは、種々の機能のうちのいずれかをコピー機１に実行させるために操作される。例えば、開始キーは、印刷を実行させるために操作される。接触検出部７３は、指等が接触すると、接触物が接触された領域の位置情報を表す信号を制御部９０に供給する。
指紋読取部７５は、タッチパネル７１に隣接して配置されており、ユーザの指紋を読み取る。指紋読取部７５は、読み取った情報に基づいて指紋情報を生成し、制御部９０に供給する。なお、本実施形態では、接触物が指であるものとして説明を進める。
【００２７】
記憶部８０は、ハードディスクや半導体メモリー等から構成される。記憶部８０は、原稿読取部２０によって読み取られた原稿Ｇに基づく画像データを記憶する。また、記憶部８０は、コピー機１において利用される制御プログラム、及びこの制御プログラムによって利用されるデータ等を記憶する。
また、記憶部８０は、ユーザの識別情報と、指紋情報と、操作画面のレイアウト情報とを関連付けてユーザ情報として記憶する。すなわち、記憶部８０は、ユーザ毎にレイアウト情報を有する。
【００２８】
制御部９０は、原稿搬送部１０、原稿読取部２０、エンジン部３、操作部７０等を制御する。
原稿載置部１１に載置された原稿Ｇをコピーする場合を示して、制御部９０の機能（動作）の一例を説明する。まず、制御部９０は、操作部７０を構成する上記のスタートキーが操作されたことを示す信号が供給されることにより、スタートキーが操作されたことを検知する。次に、制御部９０は、原稿搬送部１０の第１送りローラー１２を駆動させて原稿Ｇを第１読取面２１ａに供給する。制御部９０は、原稿読取部２０により第１読取面２１ａに供給された原稿Ｇに基づく画像データを生成させ、その画像データを記憶部８０に一時記憶する。制御部９０は、記憶部８０に一時記憶された画像データに基づいて用紙Ｔにトナー画像を形成するために、エンジン部３を構成する用紙搬送部３０と、画像形成部４０と、転写部５０と、定着部６０とをそれぞれ制御する。すなわち、制御部９０は、第２送りローラー３１又は第３送りローラー３２を駆動させて、用紙Ｔを転写部５０に搬送させる。また、制御部９０は、画像データに基づいて色毎に生成された色画像データをそれぞれレーザースキャナーユニット４３に供給し、レーザースキャナーユニット４３から照射されるレーザー光により感光体ドラム４１に静電潜像を形成させる。制御部９０は、現像器４４により感光体ドラム４１にトナー画像を形成させ、このトナー画像を中間転写ベルト４８に１次転写させる。制御部９０は、中間転写ベルト４８に１次転写されたトナー画像を２次転写ローラー５１によって用紙Ｔに２次転写させる。制御部９０は、加熱回転体６１が所定の温度に加熱されるよう制御して、その加熱回転体６１により用紙Ｔに２次転写されたトナー画像のトナーを溶融させると共に、加熱回転体６１に圧接される加圧回転体６２よりトナーを用紙Ｔに定着させる。さらに、制御部９０は、トナー画像が定着された用紙Ｔを用紙搬送部３０により用紙排出部３４から排出させる。
【００２９】
また、制御部９０は、表示制御部９１と、認証部９２と、算出部９３と、レイアウト変更部９４とを備える。
表示制御部９１は、表示部７２の表示面に認証画面を表示させる。また、表示制御部９１は、後述の認証部９２からユーザ情報が入力されると、当該ユーザ情報に関連して記憶部８０に記憶されているレイアウト情報に基づいて、複数のソフトキーを表示部７２の表示面の中央部及び外縁部に表示させる。表示制御部９１は、後述の認証部９２からエラー情報が入力されると、認証エラーメッセージを表示部７２に表示させ、その後、認証画面を再表示させる。
【００３０】
認証部９２は、指紋読取部７５により指紋が読み取られたことに応じて、記憶部８０に記憶されているユーザ情報から、指紋読取部７５により生成された指紋情報に一致する指紋情報を特定する。続いて、認証部９２は、記憶部８０に記憶されているユーザ情報から、特定された指紋情報に関連付けられているユーザを特定し、当該ユーザのコピー機１の使用を許可する。また、認証部９２は、記憶部８０に記憶されているユーザ情報に、指紋読取部７５により生成された指紋情報が記憶されていない場合、エラー情報を表示制御部９１に出力する。
【００３１】
算出部９３は、接触検出部７３から供給された接触領域の位置情報がソフトキーに対応しているか否かを判定する。算出部９３は、接触検出部７３から供給された接触領域の位置情報がソフトキーに対応していると判定した場合に、接触検出部７３により検出された接触領域に基づいて、接触領域の面積を算出する。
【００３２】
レイアウト変更部９４は、認証部９２により使用が許可されたユーザ毎に、レイアウト情報を変更することにより、操作画面のレイアウトの調整を行う。
【００３３】
具体的には、レイアウト変更部９４は、ユーザ毎に、表示部７２の表示面の中央部のソフトキーに対応する位置が接触された場合の接触領域の面積（第１面積ともいう）と、外縁部のソフトキーに対応する位置が接触された場合の接触領域の面積（第２面積ともいう）とを比較する。レイアウト変更部９４は、第２面積が、第１面積よりも小さい場合、記憶部８０のレイアウト情報を参照し、外縁部のソフトキーの表示面における表示位置を、中央部に近づくように変更する。
【００３４】
例えば、図３に示すようにソフトキーが配置されている場合について考える。この場合において、破線枠７２Ａの内側の領域を中央部とし、外側の領域を外縁部とする。一のソフトキーが中央部と外縁部との２つの領域にまたがっている場合、属している面積比に基づいていずれか一方の領域に属するものする。例えば、レイアウト変更部９４は、ソフトキー１０２に対応する位置が接触された場合の面積が、ソフトキー１０１に対応する位置が接触された場合の面積に比べて小さい場合、記憶部８０のレイアウト情報を参照し、図４に示すように、ソフトキー１０２の表示面における表示位置を、中央部に近づくように変更する。
【００３５】
ここで、レイアウト変更部９４は、第２面積が、第１面積よりも所定割合（例えば、１０％）小さい場合、記憶部８０のレイアウト情報を参照し、外縁部のソフトキーの表示面における表示位置を、中央部に近づくように変更するようにしてもよい。
【００３６】
また、レイアウト変更部９４は、表示部７２の表示面の中央部のソフトキーに対応する位置が所定回数接触した場合における接触領域の面積の平均値（第１面積の平均値）を算出すると共に、外縁部のソフトキーに対応する位置が所定回数接触した場合における接触領域の面積の平均値（第２面積の平均値）を算出するようにしてもよい。そして、レイアウト変更部９４は、第２面積の平均値が、第１面積の平均値よりも所定割合だけ小さい場合、記憶部８０のレイアウト情報を参照し、外縁部のソフトキーの表示面における表示位置を、中央部に近づくように変更するようにしてもよい。
【００３７】
また、レイアウト変更部９４は、第２面積が、第１面積よりも小さい場合、記憶部８０のレイアウト情報を参照し、外縁部のソフトキーの表示面における表示位置を、中央部に近づくように変更するだけでなく、他の制御を行うようにしてもよい。
【００３８】
すなわち、レイアウト変更部９４は、表示部７２の表示面の中央部のソフトキーに対応する位置が接触された場合の接触領域の面積に比べて、外縁部のソフトキーに対応する位置が接触された場合の接触領域の面積が小さい場合、当該外縁部のソフトキーの表示面における表示領域を拡大するように、記憶部８０のレイアウト情報を変更してもよい。
【００３９】
例えば、レイアウト変更部９４は、図３に示されるソフトキー１０４に対応する位置が接触された場合の面積が、ソフトキー１０１に対応する位置が接触された場合の面積に比べて小さい場合、記憶部８０のレイアウト情報を参照し、図４に示すように、ソフトキー１０２の表示面における表示領域を拡大させるとともに、中央部に近づくように変更する。
【００４０】
また、レイアウト変更部９４は、表示部７２の表示面の中央部のソフトキーに対応する位置が接触された場合の接触領域の面積に比べて、外縁部のソフトキーに対応する位置が接触された場合の接触領域の面積が小さい場合、当該外縁部のソフトキーの表示位置と、当該外縁部に対応し当該ソフトキーから所定範囲内のソフトキーの表示位置とを、中央部に近づくように、記憶部８０のレイアウト情報を変更するようにしてもよい。
【００４１】
例えば、レイアウト変更部９４は、ソフトキー１０２に対応する位置が接触された場合の面積が、ソフトキー１０１に対応する位置が接触された場合の面積に比べて小さい場合、記憶部８０のレイアウト情報を参照し、図４に示すように、ソフトキー１０２の表示面における表示位置を、中央部に近づくように変更する。さらに、レイアウト変更部９４は、ソフトキー１０２から所定範囲内のソフトキーとして、ソフトキー１０３を選択し、記憶部８０のレイアウト情報を参照し、図４に示すように、ソフトキー１０３の表示面における表示位置を、中央部に近づくように変更する。
【００４２】
また、レイアウト変更部９４は、指紋読取部７５により生成された指紋情報に基づいて操作画面のレイアウトの調整を行うようにしてもよい。
この場合、レイアウト変更部９４は、指紋読取部７５により生成された指紋情報に基づいて指紋の面積を算出する。続いて、レイアウト変更部９４は、算出された指紋の面積と、外縁部のソフトキーに対応する位置が接触された場合の接触領域の面積とを比較し、外縁部のソフトキーに対応する位置が接触された場合の接触領域の面積が小さい場合、当該外縁部のソフトキーの表示面における表示位置を、中央部に近づくようにレイアウト情報を変更する。
【００４３】
次に、本実施形態におけるコピー機１の動作について説明する。図５は、コピー機１の動作について説明するためのフローチャートである。
【００４４】
ステップＳＴ１において、表示制御部９１は、表示部７２の表示面に認証画面を表示させる。
ステップＳＴ２において、認証部９２は、指紋読取部７５により指紋が読み取られたか否かを判定する。認証部９２は、この判定がＹＥＳの場合、ステップＳＴ３に処理を移す。また、認証部９２は、この判定がＮＯの場合、ステップＳＴ２を再実行する。
【００４５】
ステップＳＴ３において、認証部９２は、読み取られた指紋から指紋情報を生成する。そして、認証部９２は、読み取られた指紋が、記憶部８０に記憶されているユーザ情報と関連付けて記憶されているか否かを判定する。認証部９２は、この判定がＹＥＳの場合、指紋情報に関連付けられているユーザ情報を表示制御部９１に出力し、その後、ステップＳＴ５に処理を移す。また、認証部９２は、この判定がＮＯの場合、表示制御部９１にエラー情報を出力し、その後、ステップＳＴ４に処理を移す。
【００４６】
ステップＳＴ４において、表示制御部９１は、認証エラーメッセージを表示部７２の表示面に表示させる。その後、表示制御部９１は、ステップＳＴ１に処理を移す。
【００４７】
ステップＳＴ５において、表示制御部９１は、レイアウト情報に基づいて操作画面を表示させる。すなわち、表示制御部９１は、記憶部８０に記憶されているレイアウト情報のうち、入力されたユーザ情報に関連するレイアウト情報に基づいて、複数のソフトキーを表示部７２の表示面の中央部及び外縁部に表示させる。
ステップＳＴ６において、制御部９０は、ソフトキーが接触されたことに応じて、当該ソフトキーに対応する処理（機能）を実行する。
【００４８】
ステップＳＴ７において、レイアウト変更部９４は、外縁部のソフトキーに対応する位置が接触された場合の接触領域の面積（第２面積）が、表示部７２の表示面の中央部のソフトキーに対応する位置が接触された場合の接触領域の面積（第１面積）より所定割合小さいか否かを判定する。レイアウト変更部９４は、この判定がＹＥＳの場合、ステップＳＴ８に処理を移す。レイアウト変更部９４は、この判定がＮＯの場合、ステップＳＴ９に処理を移す。
【００４９】
ステップＳＴ８において、レイアウト変更部９４は、記憶部８０を参照して、ステップＳＴ３において特定されたユーザのレイアウト情報において、第２面積に対応するソフトキーと、当該ソフトキーから所定範囲内のソフトキーとの位置を、中央部に近づくように変更する。
【００５０】
ステップＳＴ９において、制御部９０は、終了操作が行われたか否かを判定する。制御部９０は、この判定がＹＥＳの場合、ステップＳＴ１に処理を移す。また、制御部９０は、この判定がＮＯの場合、ステップＳＴ６に処理を移す。なお、制御部９０は、最後にソフトキーが接触されてから所定時間（例えば、１分）経過した場合、ステップＳＴ１に処理を移すようにしてもよい。
【００５１】
以上説明したように、本実施形態のコピー機１によれば、以下の効果が奏される。
すなわち、本実施形態のコピー機１は、表示面を有する表示部７２と、表示面側に積層配置され、接触物の接触位置及び接触領域を検出可能な接触検出部７３とを有するタッチパネル７１と、レイアウト情報に基づいて、複数のソフトキーを表示面の中央部及び外縁部に表示させる表示制御部９１と、接触検出部７３により検出された接触位置がソフトキーに対応している場合に、接触検出部７３により検出された接触領域に基づいて、接触領域の面積を算出する算出部９３と、中央部のソフトキーに対応する位置が接触された場合の接触領域の面積に比べて、外縁部のソフトキーに対応する位置が接触された場合の接触領域の面積が小さい場合、当該外縁部のソフトキーの表示面における表示位置を、中央部に近づくようにレイアウト情報を変更するレイアウト変更部９４と、を備える。
【００５２】
これにより、コピー機１は、表示面の外縁部に配置されているソフトキーについて、接触面積に基づいて、中央部に近づくように配置を変更するので、外縁部に配置されている押しにくいソフトキーについて、操作性を向上することができる。
【００５３】
また、コピー機１は、レイアウト変更部９４により、中央部のソフトキーに対応する位置が接触された場合の接触領域の面積に比べて、外縁部のソフトキーに対応する位置が接触された場合の接触領域の面積が小さい場合、レイアウト情報において、当該外縁部に対応するソフトキーの表示面における表示領域を拡大する。よって、ユーザは、外縁部に配置されているソフトキーについて、拡大する前に比べて指を接触させることが容易になる。よって、コピー機１は、ユーザの操作性をさらに向上することができる。
【００５４】
また、コピー機１は、レイアウト変更部９４により、中央部のソフトキーに対応する位置が接触された場合の接触領域の面積に比べて、外縁部のソフトキーに対応する位置が接触された場合の接触領域の面積が小さい場合、表示面における、当該外縁部のソフトキーの表示位置と、当該外縁部に対応し当該ソフトキーから所定範囲内のソフトキーの表示位置とを、中央部に近づくようにレイアウト情報を変更する。
【００５５】
中央部のソフトキーに対応する位置が接触された場合の接触領域の面積に比べて、外縁部のソフトキーに対応する位置が接触された場合の接触領域の面積が小さい場合、当該外縁部に対応し当該ソフトキーから所定範囲内のソフトキーが接触された場合であっても、接触面積が中央部のソフトキーに対応する位置が接触された場合の接触領域の面積に比べて小さくなることが推測される。よって、コピー機１は、接触面積が中央部のソフトキーに対応する位置が接触された場合の接触領域の面積に比べて小さくなると推測されるソフトキーについても同様に調整を行うことができる。これにより、外縁部に位置するソフトキーであって、ユーザが押していないソフトキーについても、予めユーザにとって操作しやすいものとすることができる。
【００５６】
また、コピー機１は、レイアウト変更部９４により、指紋読取部７５により生成された指紋情報に基づいて指紋の面積を算出し、算出された指紋の面積と、外縁部のソフトキーに対応する位置が接触された場合の接触領域の面積とを比較し、外縁部のソフトキーに対応する位置が接触された場合の接触領域の面積が小さい場合、当該外縁部のソフトキーの表示面における表示位置を、中央部に近づくようにレイアウト情報を変更する。
【００５７】
指紋読取部７５によって指紋を読み取る場合、ユーザの指の大きさを精度よく算出することができる。そして、コピー機１は、算出された指紋の面積と、外縁部のソフトキーに対応する位置が接触された場合の接触領域の面積とを比較するので、外縁部のソフトキーが押しやすいか否かについてより確実に判定することができる。
【００５８】
また、コピー機１は、レイアウト変更部９４により、指紋読取部７５により生成された指紋情報に基づいて指紋の面積を算出し、算出された指紋の面積と、外縁部のソフトキーに対応する位置が接触された場合の接触領域の面積とを比較し、外縁部のソフトキーに対応する位置が接触された場合の接触領域の面積が小さい場合、当該外縁部のソフトキーの表示面における表示位置を、中央部に近づくように、ユーザに関連付けられているレイアウト情報を変更する。このように、コピー機１は、ユーザ毎に、レイアウト情報を変更するので、複数のユーザがコピー機１を使用する場合であっても、ユーザ毎に最適な操作画面を表示することができる。
【００５９】
なお、本発明は、上述した実施形態に限定されることなく、種々の形態で実施することができる。
例えば、コピー機１は、ソフトキーの調整を行う場合に、表示面に対して調整するか否かについての問い合わせメッセージを表示させてもよい。そして、コピー機１は、ユーザによって表示面に対する調整が許可された場合に、ソフトキーの調整を行うようにしてもよい。
【符号の説明】
【００６０】
１……コピー機（表示入力装置）、７１……タッチパネル（表示入力部）、７２……表示部、７３……接触検出部、７５……指紋読取部、８０……記憶部、９１……表示制御部、９２……認証部、９３……算出部、９４……レイアウト変更部
【図１】
0005726131.tif 000002
【図２】
0005726131.tif 000003
【図３】
0005726131.tif 000004
【図４】
0005726131.tif 000005
【図５】
0005726131.tif 000006